【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】
発光部と、当該発光部から出射され光入射面から導入された光を面状に広げて光出射面から出射させる導光板とを備えた面光源装置において、
前記導光板の光出射面もしくはその反対側の面の少なくとも一方に、光を全反射させるための偏向傾斜面と、当該偏向傾斜面を透過した光を再入射させるための再入射面とで構成された凹状パターンが複数形成され、
前記凹状パターンは、前記偏向傾斜面及び前記再入射面からなる三角溝状の断面を有し、かつ、導光板中の光進行方向と垂直な方向に沿って一様な断面を有し、
前記発光部は、前記導光板の光入射面と比較して小さな光源と、当該光源から出射された光を線状に広げてその光出射面から出射させる導光体と、
前記導光体の光出射面側に配置され、当該導光体から出射された光を当該導光体の光出射面と垂直な方向へ偏向させるプリズムシートとを備え、
前記導光板をその光出射面に垂直な方向から見たとき、当該導光体の光出射面から出射される全光量のうち２／３以上の光が、当該導光体の光出射面の長手方向から４０°以内の領域に出射され、
前記導光板に入射した光量のうち５０％以上の光量が、当該導光板の光出射面に垂直な方向から見て全方位で２６°以内の角度領域に含まれていることを特徴とする面光源装置。
【請求項２】
前記導光体は透明材料によって形成されており、当該導光体の光出射面と反対側の面に対向させて正反射板を設けていることを特徴とする、請求項１に記載の面光源装置。
【請求項３】
間隔をおいて並んだ複数の比較的小さな光源と、当該光源から出射された光の指向性を前記光源が並ぶ方向で小さくする手段と、前記光源から導入された光を光出射面のほぼ全体に広げて光出射面から出射させる導光板とを備えた面光源装置において、
前記導光板に入射した光量のうち５０％以上の光量が、当該導光板の光出射面に垂直な方向から見て２６°以内の角度領域に含まれていることを特徴とする面光源装置。
【請求項４】
前記角度領域内において、前記導光板に入射した光量のうち５０％以上の光量が、いずれの方向でも１０°以内の角度領域に集中していないことを特徴とする、請求項１又は３に記載の面光源装置。
【請求項５】
前記導光板の光出射面もしくはその反対側の面の少なくとも一方に、導光板内部へ向いた法線が、光の入射方向に向けて傾くように傾斜した偏向傾斜面を有する凹状パターンが形成され、
前記導光板の光出射面と垂直な方向から見たときに、前記法線の方向と導光板中における光の進行方向とが平行になっていることを特徴とする、請求項１から４のいずれか１項に記載の面光源装置。
【請求項６】
前記導光板中の光の進行方向を含み当該導光板の光出射面に垂直な面内へ出射される全光量のうち２／３以上の光が、当該導光板の光出射面から４０°以内の領域に出射され、
前記導光板の光出射面側には、当該出射面から出射された光を当該光出射面と垂直な方向へ偏向させるプリズムシートを備えていることを特徴とする、請求項１に記載の面光源装置。
【請求項７】
前記偏向傾斜面の法線方向と前記導光板の光出射面に垂直な方向とのなす角度が１０°以下であり、前記導光板の光出射面と反対側の面に正反射板を設けたことを特徴とする、請求項３に記載の面光源装置。
【請求項８】
光源と、当該光源から導入された光を光出射面のほぼ全体に広げて光出射面から出射させる導光板とを備えた面光源装置において、
前記導光板の光出射面もしくはその反対側の面の少なくとも一方に、導光板内部へ向いた法線が光源の配置されている方向へ傾くように傾斜した偏向傾斜面を有する凹状パターンが複数形成され、
前記導光板の光出射面に垂直な方向から見たとき、当該導光板内の光進行方向が各位置において一方向に揃い、
前記凹状パターンは、その長さ方向が前記導光板内の光進行方向に対して直交するように配置され、前記偏向傾斜面の法線方向が光進行方向を中心として３０°以内の角度で分布し、かつ、当該長手方向に沿って一様な断面を有しており、
前記導光板中の光進行方向を含み当該導光板の光出射面に垂直な平面における前記偏向傾斜面の稜線が直線となっていることを特徴とする面光源装置。
【請求項９】
前記凹状パターンの偏向傾斜面は、当該凹状パターンが設けられている面に対して４５°〜６５°の傾きを持っていることを特徴とする、請求項１または８に記載の面光源装置。
【請求項１０】
比較的小さな光源を、長方形状をした導光板の短辺側の端に設置し、当該光源の発光面を前記導光板の対角方向に位置する隅に向けていることを特徴とする、請求項８に記載の面光源装置。
【請求項１１】
前記光源が設置されている導光板の短辺と当該光源に近い側に位置する導光板の長辺とが、それぞれ相対向する短辺及び長辺に対して傾いている部分を有することを特徴とする、請求項１０に記載の面光源装置。
【請求項１２】
導光板の光反射面と反対側の面に複数の凹状パターンを形成された請求項５または９に記載の面光源装置の製造方法であって、
所望の導光板よりも面積の広い平板を射出成形する工程と、
前記平板の、所望とする導光板以外の部分を切り落とす工程と、
を備えた面光源装置の製造方法。
【請求項１３】
画像を生成する液晶表示パネルと、
前記液晶表示パネルを照明するための請求項１から１２のいずれか１項に記載の面光源装置とを備えた液晶表示装置。
【請求項１４】
送受話機能を備えた携帯電話機において、
請求項１３に記載の液晶表示装置を含む表示部を備えたことを特徴とする携帯電話機。
【請求項１５】
情報処理機能を備えた情報端末機において、
請求項１３に記載の液晶表示装置を含む表示部を備えたことを特徴とする情報端末機。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】変更
【補正の内容】
【００３２】
本発明にかかる第１の面光源装置は、発光部と、当該発光部から出射され光入射面から導入された光を面状に広げて光出射面から出射させる導光板とを備えた面光源装置において、前記導光板の光出射面もしくはその反対側の面の少なくとも一方に、光を全反射させるための偏向傾斜面と、当該偏向傾斜面を透過した光を再入射させるための再入射面とで構成された凹状パターンが複数形成され、前記凹状パターンは、前記偏向傾斜面及び前記再入射面からなる三角溝状の断面を有し、かつ、導光板中の光進行方向と垂直な方向に沿って一様な断面を有し、前記発光部は、前記導光板の光入射面と比較して小さな光源と、当該光源から出射された光を線状に広げてその光出射面から出射させる導光体と、前記導光体の光出射面側に配置され、当該導光体から出射された光を当該導光体の光出射面と垂直な方向へ偏向させるプリズムシートとを備え、前記導光板をその光出射面に垂直な方向から見たとき、当該導光体の光出射面から出射される全光量のうち２／３以上の光が、当該導光体の光出射面の長手方向から４０°以内の領域に出射され、前記導光板に入射した光量のうち５０％以上の光量が、当該導光板の光出射面に垂直な方向から見て全方位で２６°以内の角度領域に含まれていることを特徴としている。ここで、ある方向から見てある角度とは、単にある方向に対してある角度をなすことをいう。
【手続補正１２】
【補正対象書類名】明細書
【補正対象項目名】００３３
【補正方法】変更
【補正の内容】
【００３３】
本発明の第１の面光源装置にあっては、導光板の光出射面もしくはその反対側の面の少なくとも一方に、光を全反射させるための偏向傾斜面と、当該偏向傾斜面を透過した光を再入射させるための再入射面とで構成された凹状パターンが複数形成され、凹状パターンは、偏向傾斜面及び再入射面からなる三角溝状の断面を有し、かつ、導光板中の光進行方向と垂直な方向に沿って一様な断面を有しているので、導光板に入射した光を偏向傾斜面で反射させることによて導光板の光出射面から出射させると共に、偏向傾斜面から漏れた光を再入射面から導光板内に再入射させて漏れ光を再利用できる。
【手続補正１３】
【補正対象書類名】明細書
【補正対象項目名】００３４
【補正方法】変更
【補正の内容】
【００３４】
実験によれば、画像表示装置の画面に垂直な方向から３０°よりも外側へ出射される光はロスとなり、画像表示装置の視認性を低下させることがわかった。従って、面光源装置から出射される光量の大半を光出射面に垂直な方向から３０°以内に集めることにより、これを画像表示装置に用いた場合にも、画面に垂直な方向から３０°以内に集中させることができ、画像表示装置の視認性を良好にすることができる。
この第１の面光源装置にあっては、導光体を用いて小さな光源から出射された光を導光体の長手方向に広げると共に導光板に入射される光量の大半（５０％以上の光量）を光出射面に垂直な方向から見て２６°以内に集めているので、導光板の光出射面から出射された光についても、導光板の光入射面の長手方向で４０°以内の高い指向性が得られる。
【手続補正１４】
【補正対象書類名】明細書
【補正対象項目名】００３５
【補正方法】変更
【補正の内容】
【００３５】
また、第１の面光源装置では、導光板の光入射面と比較して小さな光源と、光源から出射された光を線状に広げてその光出射面から出射させる導光体と、導光体の光出射面側に配置され、当該導光体から出射された光を導光体の光出射面と垂直な方向へ偏向させるプリズムシートとによって発光部を構成しているので、光源から出射された光を導光体のほぼ全長に広げて出射させることができ、点光源をいわゆる線状光源に変換することができる。しかも、導光体の光出射面に設けたプリズムシートによって導光体から出る光を屈折させることにより、導光板へほぼ垂直に光を入射させられる。
【手続補正１５】
【補正対象書類名】明細書
【補正対象項目名】００３６
【補正方法】変更
【補正の内容】
【００３６】
さらに、第１の面光源装置では、導光体から出射される光量の大部分（全光量の２／３以上）を導光体の光出射面の長手方向から４０°以内という狭い範囲に集中させ、これを偏向手段によって垂直な方向へ出射させているので、導光体の長手方向で方向の揃った指向性の高い光を導光板内部へ導入することができる。ひいては、導光板の光出射面から出射される光は、導光体の長手方向に対応する方向で指向性が狭くなる。
【手続補正１６】
【補正対象書類名】明細書
【補正対象項目名】００３７
【補正方法】変更
【補正の内容】
【００３７】
本発明の第１の面光源装置のある実施態様では、前記導光体は透明材料によって形成されており、当該導光体の光出射面と反対側の面に対向させて正反射板を設けていてもよい。
【手続補正１７】
【補正対象書類名】明細書
【補正対象項目名】００３８
【補正方法】変更
【補正の内容】
【００３８】
かかる実施態様では、導光体の光出射面と反対側の面（裏面）に反射板を設けているので、導光体の裏面から漏れた光を反射板で反射させて導光体の内部に再入射させることができ、光の利用効率を高め、面光源装置の輝度を高めることができる。しかも、反射板として正反射板を用いているので、導光体から漏れて正反射板により反射され再入射した光によって導光体から出射される光の方向が乱されることがなく、導光体から出射され偏向された光の指向特性を非常に狭いものにすることができる。
【手続補正１８】
【補正対象書類名】明細書
【補正対象項目名】００３９
【補正方法】変更
【補正の内容】
【００３９】
本発明にかかる第２の面光源装置は、間隔をおいて並んだ複数の比較的小さな光源と、当該光源から出射された光の指向性を前記光源が並ぶ方向で小さくする手段と、前記光源から導入された光を光出射面のほぼ全体に広げて光出射面から出射させる導光板とを備えた面光源装置において、前記導光板に入射した光量のうち５０％以上の光量が、当該導光板の光出射面に垂直な方向から見て２６°以内の角度領域に含まれていることを特徴としている。
【手続補正１９】
【補正対象書類名】明細書
【補正対象項目名】００４０
【補正方法】変更
【補正の内容】
【００４０】
第２の面光源装置にあっては、導光板に入射した光量の大半を光出射面に垂直な方向から見て２６°以内の角度領域に入射させているので、導光板の光出射面から出射される光も、その大半が点光源の並ぶ方向でほぼ４０°の角度領域内に出射される。また、間隔をおいて並んだ複数の小さな光源から出射された光の指向性は、光源並び方向では導光板入射前に狭くしているので、導光板内部では導光板の厚み方向でのみ指向性を狭くするようにすればよい。よって、導光板の内部では一方向で指向性が揃っているので、光を制御し易く、導光板の光出射面から出射される光の制御性を上げることができる。また、導光板に入射する光は、一方向で指向性が狭くなっており、この方向では導光板により光の指向性を高くする必要が無いので、導光板を簡単に薄くすることができる。
【手続補正２０】
【補正対象書類名】明細書
【補正対象項目名】００４１
【補正方法】変更
【補正の内容】
【００４１】
本発明の第１の面光源装置の別な実施態様または第２の面光源装置のある実施態様では、前記角度領域内において、前記導光板に入射した光量のうち５０％以上の光量が、いずれの方向でも１０°以内の角度領域に集中しないようにしてもよい。
【手続補正２１】
【補正対象書類名】明細書
【補正対象項目名】００４２
【補正方法】変更
【補正の内容】
【００４２】
かかる実施態様では、導光板に入射した光量の大部分がいずれの方向でも１０°以内という狭い範囲に集中しないので、少し視線を移動させただけで光が目に届いたり届かなくなったりしてちらつきにくくなる。
【手続補正２２】
【補正対象書類名】明細書
【補正対象項目名】００４３
【補正方法】変更
【補正の内容】
【００４３】
本発明の第１の面光源装置のさらに別な実施態様または第２の面光源装置の別な実施態様では、前記導光板の光出射面もしくはその反対側の面の少なくとも一方に、導光板内部へ向いた法線が、前記光源の配置されている方向へ傾くように傾斜した偏向傾斜面を有する凹状パターンが形成され、前記導光板の光出射面と垂直な方向から見たときに、前記法線の方向と導光板中における光の進行方向とが平行になっている。
【手続補正２３】
【補正対象書類名】明細書
【補正対象項目名】００４４
【補正方法】変更
【補正の内容】
【００４４】
かかる実施態様では、導光板内部へ向いた法線が光源の配置されている方向へ傾くように傾斜した偏向傾斜面を有する凹状パターンが形成され、前記導光板の光出射面と垂直な方向から見たときに当該法線の方向と導光板できる中における光の進行方向とが平行になっているから、光の進行方向と垂直な方向から見て、偏向傾斜面に入射した光の一部は偏向傾斜面で全反射されて光出射面から出射され、残りの光は偏向傾斜面を透過する。この結果、偏向傾斜面に入射した光のうち特定の角度で入射した光だけが光出射面から出射されるので、この方向から見たとき、光出射面から出射される光の指向性が狭くなる。
【手続補正２４】
【補正対象書類名】明細書
【補正対象項目名】００４５
【補正方法】変更
【補正の内容】
【００４５】
本発明の第１の面光源装置のさらに別な実施態様は、前記導光板中の光の進行方向を含み当該導光板の光出射面に垂直な面内へ出射される全光量のうち２／３以上の光が、当該導光板の光出射面から４０°以内の領域に出射され、前記導光板の光出射面側には、当該出射面から出射された光を当該光出射面と垂直な方向へ偏向させるプリズムシートを備えている。
【手続補正２５】
【補正対象書類名】明細書
【補正対象項目名】００４６
【補正方法】変更
【補正の内容】
【００４６】
かかる実施態様では、導光板内の光の大部分を導光板の光出射面から４０°という狭い範囲に集中させ、これを偏向手段によって垂直な方向へ出射させているので、導光板の光出射面で方向の揃った指向性の高い光を出射することができ、さらに偏向手段によれば導光板の光出射面から出射される光の指向性を狭くできる。
【手続補正２６】
【補正対象書類名】明細書
【補正対象項目名】００４７
【補正方法】変更
【補正の内容】
【００４７】
本発明の第２の面光源装置のさらに別な実施態様では、前記偏向傾斜面の法線方向と前記導光板の光出射面に垂直な方向とのなす角度が１０°以下であり、前記導光板の光出射面と反対側の面に正反射板を設けている。
【手続補正２７】
【補正対象書類名】明細書
【補正対象項目名】００４８
【補正方法】変更
【補正の内容】
【００４８】
かかる実施態様によれば、偏向傾斜面の法線方向と導光板の光出射面に垂直な方向とのなす角度が１０°以下となっているが、この光出射面と反対側の面との間で全反射して全反射の臨界角よりも入射光が小さくなったときに光出射面から取り出される光は狭い角度に揃ったものが得られる。特に、偏向傾斜面の法線方向と導光板の光出射面に垂直な方向とのなす角度が１０°以下となるようにすれば、±２０°程度の狭い範囲内に光を出射させることができる。こうして導光板の光出射面とほぼ平行に出射された光は、例えば導光板の光出射面に対向させて配置された、光を偏向させる手段によって光出射面と垂直な方向へ向けることができる。
【手続補正２８】
【補正対象書類名】明細書
【補正対象項目名】００４９
【補正方法】変更
【補正の内容】
【００４９】
本発明にかかる第３の面光源装置は、光源と、当該光源から導入された光を光出射面のほぼ全体に広げて光出射面から出射させる導光板とを備えた面光源装置において、前記導光板の光出射面もしくはその反対側の面の少なくとも一方に、導光板内部へ向いた法線が光源の配置されている方向へ傾くように傾斜した偏向傾斜面を有する凹状パターンが複数形成され、前記導光板の光出射面に垂直な方向から見たとき、当該導光板内の光進行方向が各位置において一方向に揃い、前記凹状パターンは、その長さ方向が前記導光板内の光進行方向に対して直交するように配置され、前記偏向傾斜面の法線方向が光進行方向を中心として３０°以内の角度で分布し、かつ、当該長手方向に沿って一様な断面を有しており、前記導光板中の光進行方向を含み当該導光板の光出射面に垂直な平面における前記偏向傾斜面の稜線が直線となったものである。
【手続補正２９】
【補正対象書類名】明細書
【補正対象項目名】００５０
【補正方法】変更
【補正の内容】
【００５０】
本発明にかかる第３の面光源装置によれば、導光板には、導光板中を進行する光を全反射させて光出射面から出射させるための複数の偏向傾斜面が設けられているから、全反射角よりも小さな入射角で偏向傾斜面に入射した光を透過させることにより、偏向傾斜面の断面と垂直な方向から見た、出射光の指向性を狭くすることができる。一方、導光板の光出射面に垂直な方向から見たとき、導光板内の光進行方向が各位置においてほぼ一方向に揃い、前記凹状パターンは、その長さ方向が前記導光板内の光進行方向に対して直交するように配置され、前記偏向傾斜面の法線方向が光進行方向を中心として所定の角度で分布し、かつ、当該長手方向に沿って一様な断面を有し、導光板中の光進行方向を含み当該導光板の光出射面に垂直な平面における偏向傾斜面の稜線が直線となっているから、光出射面から見たときに非常に狭い指向角の光を偏向傾斜面で全反射させることによって指向角を広げることができる。従って、導光板の光入射面に垂直な方向に広過ぎる指向角を持ち、導光板の光入射面と平行な方向に狭すぎる指向角を持つ光を適度の指向角で出射させることができ、光のロスをできるだけ小さくして正面輝度を向上させることができる。特に、光出射面から見て偏向傾斜面をち３０°以内の角度で分布させることにより、該導光板の光出射面から出射される光を±４５°程度に広げることができる。
【手続補正３０】
【補正対象書類名】明細書
【補正対象項目名】００５１
【補正方法】変更
【補正の内容】
【００５１】
本発明の第１の面光源装置のさらに別な実施態様または第３の面光源装置のある実施態様は、前記凹状パターンの偏向傾斜面が、当該凹状パターンが設けられている面に対して４５°〜６５°の傾きを持つものである。
【手続補正３１】
【補正対象書類名】明細書
【補正対象項目名】００５２
【補正方法】変更
【補正の内容】
【００５２】
かかる実施態様にあっては、凹状パターンが設けられている面に対して偏向傾斜面に４５°〜６５°の傾きを持たせれば、導光板の光出射面から出射される光量の大半を光出射面から測って３０°以内の狭い範囲に出射させることができる。よって、これを適当な偏向手段によって光出射面と垂直な方向へ偏向させれば、この方向では３０°以内の狭い指向性を得ることができる。
【手続補正３２】
【補正対象書類名】明細書
【補正対象項目名】００５３
【補正方法】変更
【補正の内容】
【００５３】
本発明の第３の面光源装置の別な実施態様は、比較的小さな光源を、長方形状をした導光板の短辺側の端に設置し、当該光源の発光面を前記導光板の対角方向に位置する隅に向けていることを特徴としている。
【手続補正３３】
【補正対象書類名】明細書
【補正対象項目名】００５４
【補正方法】変更
【補正の内容】
【００５４】
かかる実施態様よれば、光源の配置されている近傍の導光板隅部と対角線方向で対向する隅部に光を届かせ易くなり、この隅部の輝度を上げることができる。
【手続補正３４】
【補正対象書類名】明細書
【補正対象項目名】００５５
【補正方法】変更
【補正の内容】
【００５５】
さらに、上記実施態様にあっては、前記光源が設置されている導光板の短辺と当該光源に近い側に位置する導光板の長辺とが、それぞれ相対向する短辺及び長辺に対して傾いている部分を有していてもよい。
【手続補正３５】
【補正対象書類名】明細書
【補正対象項目名】００５６
【補正方法】変更
【補正の内容】
【００５６】
かかる実施態様によれば、光源が設置されている導光板の短辺と光源に近い側に位置する導光板の長辺とが、それぞれ相対向する短辺及び長辺に対して傾いているので、この傾いている部分の傾斜角度を適当に選択することにより、光源から出射され、傾いた部分で反射された光を任意の方向へ向けることができ、特に、光が届きにくくて暗くなり易い部分へ光を反射させることにより、面光源装置の輝度分布を均一化することができる。
【手続補正３６】
【補正対象書類名】明細書
【補正対象項目名】００５７
【補正方法】変更
【補正の内容】
【００５７】
本発明にかかる液晶表示装置は、画像を生成する液晶表示パネルと、前記液晶表示パネルを照明するための本発明にかかる面光源装置とを備えたものである。
【手続補正３７】
【補正対象書類名】明細書
【補正対象項目名】００５８
【補正方法】変更
【補正の内容】
【００５８】
本発明にかかる携帯電話機は、送受話機能を備えた携帯電話機において、本発明にかかる液晶表示装置を含む表示部を備えたものである。
【手続補正３８】
【補正対象書類名】明細書
【補正対象項目名】００５９
【補正方法】変更
【補正の内容】
【００５９】
本発明にかかる情報端末機は、情報処理機能を備えた情報端末機において、本発明にかかる液晶表示装置を含む表示部を備えたものである。
【手続補正３９】
【補正対象書類名】明細書
【補正対象項目名】００６０
【補正方法】変更
【補正の内容】
【００６０】
このように本発明の面光源装置は、液晶表示装置や携帯電話機や情報端末機に用いることがでできるものである。
【手続補正４０】
【補正対象書類名】明細書
【補正対象項目名】００６１
【補正方法】削除
【補正の内容】
【手続補正４１】
【補正対象書類名】明細書
【補正対象項目名】００６２
【補正方法】削除
【補正の内容】
【手続補正４２】
【補正対象書類名】明細書
【補正対象項目名】００６３
【補正方法】変更
【補正の内容】
【００６３】
本発明にかかる面光源装置の製造方法は、導光板の光反射面と反対側の面に複数の凹状パターンを形成された本発明にかかる面光源装置の製造方法であって、所望の導光板よりも面積の広い平板を射出成形する工程と、前記平板の、所望とする導光板以外の部分を切り落とす工程とを備えたものである。